(57)【特許請求の範囲】
【請求項１】
コンクリート養生装置であって、
養生しようとするコンクリート製品を収容する本体と、
本体の内部の下部分に配置され、本体内に蒸気を供給する蒸気配管と、
本体の上部分に配置され、本体内の蒸気を排出する蒸気排出用配管とを備え、蒸気排出用配管には、電磁弁が配置されており、
本体の内部の下部分に配置され、本体内に外気を導入する外気導入用配管を備え、シロッコファンによって外気導入用配管を介して本体内に外気が導入されるようになっており、
シロッコファンが作動するときは、前記電磁弁が開放され、シロッコファンが作動しないときは、前記電磁弁が閉鎖されるように構成されていることを特徴とする装置。
【請求項２】
外気導入用配管が、本体の側壁に沿って配置されており、所定間隔を隔てて複数の外気排出孔が設けられていることを特徴とする請求項１に記載の装置。
【請求項３】
本体内を１．５時間〜２．５時間で換気するように、シロッココァンの作動と作動停止が制御されることを特徴とする請求項１又は２に記載の装装。
【請求項４】
本体内を２時間で換気するように、シロッココァンの作動と作動停止が制御されることを特徴とする請求項１又は２に記載の装装。
【発明の詳細な説明】
【０００１】
【発明の属する技術分野】
本発明は一般に、コンクリート養生装置に関する。より詳細には、本発明は、養生終了時に養生装置内の温度を外気温と略等しい温度まで効率的に下降させることができるコンクリート養生装置に関する。
【０００２】
【従来の技術】
ヒューム管、杭、ボックスカルバート、パネル等のコンクリート製品は、その製造に際して、所定の型枠にコンクリートを投入した後、硬化作用を促進させ、乾燥によるクラックの発生を防止するため、コンクリート養生装置内に収容されて養生される。コンクリートの養生は一般的に、コンクリート養生装置内において、まず所定の昇温角度で温度を上昇させた後、一定温度を所定時間保持し、その後、所定の降温角度で温度を下降させることによって、行われる。
【０００３】
近年、コンクリート養生装置は、燃料費の軽減を図るため、断熱性能が著しく向上しており、装置内の温度を下降させるのが容易ではない。
【０００４】
【発明が解決しようとする課題】
しかしながら、装置内の温度が十分に下降せず、外気温との温度差が大きい状態で、コンクリート製品を養生装置から搬出しようとすると、コンクリート製品にヘアクラック（微細なひび割れ）が発生するという不都合がある。
【０００５】
一方、養生装置の床面に散水することによって、養生装置内の温度を下降させようとする試みがなされている。しかしながら、散水すると、作業コストがかかるうえ、床面がびしょびしょになる、型枠が湿気を含む、水滴が落ちる等の弊害が生ずる。特に、寒冷地においては、凍結被害が発生するので、このような便法は採用されていない。
【０００６】
このような状況下において、養生終了時に養生装置内の温度を外気温と略等しい温度まで効率的に下降させることができる装置に対する強い要請がある。したがって、本発明は、養生終了時に装置外部と略等しい温度環境を形成することができるコンクリート養生装置を提供することを目的としている。
【０００７】
【課題を解決するための手段】
本願請求項１に記載のコンクリート養生装置は、養生しようとするコンクリート製品を収容する本体と、本体の内部の下部分に配置され、本体内に蒸気を供給する蒸気配管と、本体の上部分に配置され、本体内の蒸気を排出する蒸気排出用配管とを備え、蒸気排出用配管には、電磁弁が配置されており、本体の内部の下部分に配置され、本体内に外気を導入する外気導入用配管を備え、シロッコファンによって外気導入用配管を介して本体内に外気が導入されるようになっており、シロッコファンが作動するときは、前記電磁弁が開放され、シロッコファンが作動しないときは、前記電磁弁が閉鎖されるように構成されていることを特徴とするものである。
【０００８】
本願請求項２に記載のコンクリート養生装置は、前記請求項１の装置において、外気導入用配管が、本体の側壁に沿って配置されており、所定間隔を隔てて複数の外気排出孔が設けられていることを特徴とするものである。
【０００９】
本願請求項３に記載のコンクリート養生装置は、前記請求項１又は２の装置において、本体内を１．５時間〜２．５時間で換気するように、シロッココァンの作動と作動停止が制御されることを特徴とするものである。
【００１０】
本願請求項４に記載のコンクリート養生装置は、前記請求項１又は２の装置において、本体内を２時間で換気するように、シロッココァンの作動と作動停止が制御されることを特徴とするものである。
【００１１】
【発明の実施の形態】
次に図面を参照して、本発明の好ましい実施の形態に係るコンクリート養生装置について説明する。図１において全体として参照符号１０で示される本発明の好ましい実施の形態に係るコンクリート養生装置は、本体１２を備えている。本体１２は典型的には、立方体又は直方体の箱形の形状を有しており、本体１２の側壁の１つには、コンクリート製品の搬入・搬出用の扉１４（図１では、一点鎖線で概略的に図示されている）が設けられている。
【００１２】
コンクリート養生装置１０の内部の下部分には、蒸気配管１６が配置されており、蒸気配管１６は、配管１８を介して、コンクリート養生装置１０の外部に配置された減圧弁ユニット２０と連通している。減圧弁ユニット２０は、蒸気発生源（図示せず）に連結されている。減圧弁ユニット２０により、蒸気発生源からの蒸気圧力を２ｋｇ／ｃｍ２Ｇ〜０．５ｋｇ／ｃｍ２Ｇ程度に減圧し、水分が少なく潜熱の大きな良質の蒸気を本体１２に供給することができる。
【００１３】
蒸気配管１６は好ましくは、図１に示されるように、本体１２の４つの側壁のうち扉１４が設けられている側壁以外の３つの側壁に沿って、平面視「コ」字形に配置されている。蒸気配管１６には、所定間隔を隔てて複数の蒸気排出孔１６ａが設けられている。
【００１４】
コンクリート養生装置１０の上部分には、蒸気排出用配管２２が配置されており、本体１２内の蒸気を装置外に排出できるようになっている。蒸気排出用配管２２には、電磁弁２４が設置されている。
【００１５】
コンクリート養生装置１０の内部の下部分には、外気導入用配管２６が配置されている。外気導入用配管２６は、配管２８を介して、ダクト３０と連通しており、ダクト３０の端部は、コンクリート養生装置１０の外部に延びている。
【００１６】
ダクト３０の途中には、シロッコファン３２が設けられている。シロッコファン３２は、蒸気排出用配管２２の電磁弁２４と連動しており、シロッコファン３２が作動するときは、電磁弁２４が開放され、シロッコファン３２が作動しないときは、電磁弁２４が閉鎖されるようになっている。
【００１７】
外気導入用配管２６は好ましくは、蒸気配管１６と同様に、図１に示されるように、本体１２の４つの側壁のうち扉１４が設けられている側壁以外の３つの側壁に沿って、平面視「コ」字形に配置されている。外気導入用配管２６には、所定間隔を隔てて複数の外気排出孔２６ａが設けられている。
【００１８】
次に、以上のように構成されたコンクリート養生装置１０の使用について説明する。まず、養生しようとするコンクリート製品をコンクリート養生装置１０内に搬入する。次いで、減圧弁ユニット２０により２ｋｇ／ｃｍ２Ｇ〜０．５ｋｇ／ｃｍ２Ｇ程度に減圧した蒸気を、蒸気配管１６の蒸気排出孔１６ａから、本体１２内に排出する。すると、本体１２内の温度は、図２においてＡ〜Ｂで示されるように、所定の昇温角度で上昇する（通常は、２０°Ｃ／時程度が好ましい）。次いで、蒸気の排出を調整することにより、図２においてＢ〜Ｃに示されるように、一定の時間、一定の温度を保持する。しかる後、シロッコファン３２を作動させ、外気排出孔２６ａを介して本体１２内に外気を均一に導入する。シロッコファン３２を作動させると、電磁弁２４が開放されるので、本体１２内の温度は、図２においてＣ〜Ｄで示されるように、徐々に下降する。なお、この際、本体１２内の温度を急激に下降させると、コンクリート製品にヘアクラックが発生するおそれがあるので、シロッコファン３２の作動と作動停止（従って、電磁弁２４の開放と閉鎖）を小刻みに繰り返すことにより、本体１２内の温度を徐々に低下させる（図２では、ＣＤは直線になっているが、実際は、細かな階段状となる）。そして、本体１２内の温度が外気温と略等しくなったら、養生作業を終了し、扉１４を開けてコンクリート製品を搬出する。なお、シロッコファン３２の作動と作動停止は、公知の制御手段（図示せず）によって行われる。
【００１９】
本発明者の行った種々の試験によれば、本体１２内を約１．５時間〜約２．５時間（最も好ましくは、約２時間）で換気する（即ち、本体１２内の空気を約１．５時間〜約２．５時間かけて外気と入れ換える）と、ヘアクラックを発生させずに養生することができることが分かった。
【００２０】
本発明は、以上の発明の実施の形態に限定されることなく、特許請求の範囲に記載された発明の範囲内で、種々の変更が可能であり、それらも本発明の範囲内に包含されるものであることはいうまでもない。
【００２１】
【発明の効果】
上述のように、外気排出孔２６ａから本体１２内に外気が均一に導入され、しかもシロッコファン３２の作動と作動停止および電磁弁２４の開放と閉鎖が連動しているので、本体１２内の温度を緩慢に下降させ、外気温と略同じ温度まで下降させることができるので、コンクリート製品にヘアクラックが発生するのを防止することができる。
【図面の簡単な説明】
【図１】本発明の好ましい実施の形態に係るコンクリート養生装置を示した概略斜視図である。
【図２】コンクリート養生装置の本体内における時間と温度の関係を示したグラフである。
【符号の説明】
１０  コンクリート養生装置
１２  本体
１４  扉
１６  蒸気配管
２０  減圧弁ユニット
２２  蒸気排出用配管
２４  電磁弁
２６  外気導入用配管
３２  シロックファン
【図１】
0003606796.tif 000002
【図２】
0003606796.tif 000003